(57)【特許請求の範囲】
【請求項１】
プラスチックシートの接合縁辺を溶着した上げ底袋体（１）の底下溶着縁面（５）の横巾方向一端側に、吊り紐（１０）の基端係止部（１０ａ）を係着するとともに、前記底下溶着縁面（５）の横巾方向他端側縁辺の一部に無溶着の開口部（１２）を形成し、上げ底下方の空所に延在させた吊り紐（１０）の先端部を前記無溶着開口部（１２）に通して係止できるようにしたことを特徴とする吊り紐付きプラスチックシート袋体
【請求項２】
プラスチックシートの接合縁辺を溶着した上げ底袋体（１）の底下溶着縁面（５）の横巾方向一端側にループ状吊り紐（１０）の基端係止部（１０ａ）を係着するとともに、底下溶着縁面（５）の横巾方向他端側の相対する溶着縁辺に、切り込み（１３）を介して外部に開通する相対する紐通し孔（１４）、（１４）を形成し、上げ底下方の空所に延在させた前記吊り紐（１０）のループ状先端部（１０ｂ）を、各々の前記切り込み（１３）と紐通し孔（１４）に通して外側に引き出し、前記ループ状先端部（１０ｂ）を前記袋体（１）の底下溶着縁面（５）の横巾方向他端側溶着縁辺に係止できるようにしたことを特徴とする吊り紐付きプラスチックシート袋体
【請求項３】
プラスチックシートの接合縁辺を溶着した上げ底袋体（１）の底下溶着縁面（５）に吊り紐（１０）の基端係止部（１０ａ）を係着するとともに、この吊り紐係着部近傍の底下溶着縁面（５）に、上げ底下方の空所に通ずる紐通し孔（１５）を形成し、前記吊り紐（１０）の自由端側をこの紐通し孔（１５）に通入して内側の前記空所内に収納可能にしたことを特徴とする吊り紐付きプラスチックシート袋体
【請求項４】
プラスチックシートの接合縁辺を溶着した上げ底袋体（１）の底下溶着縁面（５）の横巾方向一端側に吊り紐（１０）の基端係止部（１０ａ）を係着するとともに、前記袋体（１）の上部溶着縁面（２）、側部溶着縁面（３）又は（４）の上部に、切り込み（１６）を介して外部に開通する係止孔（１７）を形成し、前記吊り紐（１０）の先端係止部（１０ｂ）を、該切り込み（１６）を通して前記係止孔（１７）に係着できるようにしたことを特徴とする吊り紐付きプラスチックシート袋体
【発明の詳細な説明】
【００１】
【発明の属する技術分野】
本発明は吊り紐を有するプラスチックシート袋体に関し、特に、袋体本体に吊り紐をコンパクトに収納もしくは係着できるようにした流体収納用のプラスチックシート袋体に関する。
【００２】
【発明が解決しようとする課題】
液体洗剤、液体調味料などの流動物はガラス容器やペットボトルなどの容器に詰めて取引されるのが一般的であったが、近年は絞り出しが可能な可撓性プラスチックシートの袋体に充填して販売することが多くなっている。
【００３】
図８に示すように、これらの袋体容器にはボデイソープなどの液体洗剤を充填した袋体１の上部溶着縁面２に、切取りによって開く逆止弁付きの注出口７を形成し、注出口７を下向きにしても内容物が流出しないようにしたものがある。そして、この種の袋体容器は、注出口７を下側にして吊り下げて使用するため、袋体１に吊り紐１０が取付けられている。
【００４】
ところが、この吊り紐１０は使用時は便利であるが、梱包や運搬などの流通段階や店頭陳列の際は邪魔になり、引っかけたり挟まったりする煩わしさがあった。
【００５】
従って、本発明の目的は、梱包、運搬あるいは陳列の際は吊り紐を袋体本体にコンパクトに収納もしくは係着できるようにしたプラスチックシート袋体（以下、「袋体」と略称する）を提供することにある。
【００６】
【課題を解決するための手段】
上記の目的を達成するための第１の発明は、プラスチックシートの接合縁辺を溶着した上げ底袋体の底下溶着縁面の横巾方向一端側に、吊り紐の基端係止部を係着するとともに、前記底下溶着縁面の横巾方向他端側縁辺の一部に無溶着の開口部を形成し、上げ底下方の空所に延在させた吊り紐の先端部を前記無溶着開口部に通して係止できるようにしたことを特徴とする。
【００７】
上記の目的を達成するための第２の発明は、プラスチックシートの接合縁辺を溶着した上げ底袋体の底下溶着縁面の横巾方向一端側にループ状吊り紐の基端係止部を係着するとともに、底下溶着縁面の横巾方向他端側の相対する溶着縁辺に、切り込みを介して外部に開通する相対する紐通し孔を形成し、上げ底下方の空所に延在させた前記吊り紐のループ状先端部を、各々の前記切り込みと紐通し孔に通して外側に引き出し、前記ループ状先端部を前記袋体の底下溶着縁面の横巾方向他端側溶着縁辺に係止できるようにしたことを特徴とする。
【００８】
上記の目的を達成するための第３の発明は、プラスチックシートの接合縁辺を溶着した上げ底袋体の底下溶着縁面に吊り紐の基端係止部を係着するとともに、この吊り紐係着部近傍の底下溶着縁面に、上げ底下方の空所に通ずる紐通し孔を形成し、前記吊り紐の自由端側をこの紐通し孔に通入して内側の前記空所内に収納可能にしたことを特徴とする。
【００９】
上記の目的を達成するための第４の発明は、プラスチックシートの接合縁辺を溶着した上げ底袋体の底下溶着縁面の横巾方向一端側に吊り紐の基端係止部を係着するとともに、前記袋体の上部溶着縁面又は側部溶着縁面の上部に、切り込みを介して外部に開通する係止孔を形成し、前記吊り紐の先端係止部を、該切り込みを通して前記係止孔に係着できるようにしたことを特徴とする。
【０１０】
【発明の実施の形態】
以下、本発明の実施例を添付図面に基づいて説明する。
図の袋体１は、表裏２枚の可撓性のプラスチックシート又はプラスチックフイルムを重ね合わせ、周囲縁面の所定巾を熱溶着などの封鎖手段で上部溶着縁面２、左右側部溶着縁面３、４、底下溶着縁面５に密閉する容器であり、内部にボデイソープなどの流動物が充填されるものである。
なお、図の実施例の袋体１は、図８に示すように、表裏２枚のシートの下部対向面間を所定面積の上げ底シート６を介して密閉し、上げ底シート６の下方に表裏シートの下端から内側へ凹んだ空所が形成されている。
【０１１】
この実施例の袋体１は、上部縁辺に注出口７が形成されており、注出口７の基端部に逆止弁機構８を備えている。また、注出口７は使用時に切取り線９に沿って先端側を切り開くことにより所定圧力で内容物を絞り出すことができるようにしてある。
【０１２】
この袋体１は、上げ底シート６を下側にして立てて店頭に陳列できるようになっているが、前記逆止弁機構８により内容物に所定の強制圧力を加えない限り注出口７から内容物が流出しない構造になっているので、使用時は注出口７を下側にして吊り下げて使用することができる。このため、袋体１の下部に吊り紐１０の基端が係着されている。
【０１３】
袋体１は、上げ底シート６下方の底下溶着縁面５の横巾方向一端側に係着孔１１を設けてあり、吊り紐１０はその基端係止部１０ａを前記係着孔１１に通して係着されている。
本発明は、上記吊り紐１０を使用しないときは袋体１に一体的に係着できるようにしたもので、図１及び図２の実施例は、吊り紐１０の基端係止部１０ａを係着孔１１の外側に係止させ、吊り紐１０を上げ底シート６下方の空所に収納できるように係着するとともに、底下溶着縁面５の横巾方向他端側縁辺の途中に外部へ通ずる無溶着開口部１２を形成し、上げ底シート６下方の前記空所に延在させた吊り紐１０の先端部１０ｂを無溶着開口部１２に通して係着するようにしたものである。
この構造のものは、非使用時に吊り紐１０の先端部１０ｂを無溶着開口部１２に通すことにより、吊り紐１０が上げ底シート６下方の空所に収納されるとともに、先端部１０ｂが無溶着開口部１２の左右シートにはさまれて袋体１に安定した状態で係着される。
【０１４】
図３及び図４の実施例は、先端部１０ｂを輪にしたループ状吊り紐１０の基端係止部１０ａを図１実施例と同様の形態で上げ底シート６下方にある底下溶着縁面５、５の横巾方向一端側に係着するとともに、該底下溶着縁面５、５の横巾方向他端側の相対する溶着縁辺に、切り込み１３を介して外部に開通する紐通し孔１４、１４を形成し、上げ底シート６下方の空所に通した吊り紐１０の先端を前記左右の切り込み１３と紐通し孔１４を介して外側に引き出し、ループ状先端部１０ｂを底下溶着縁面５の他側縁辺に係止させるようにしたものである。
この構造により、吊り紐１０は上げ底シート６下方の空所に収納され、紐通し孔１４、１４を通して引き出した吊り紐１０のループ状先端部１０ｂが底下溶着縁面５の前記他端側縁辺に係合して袋体１に係着される。
【０１５】
図５及び図６の実施例は、吊り紐１０の基端係止部１０ａを底下溶着縁面５の内側に係止させて吊り紐１０を溶着縁辺から外側へ吊り下げ可能に引き出すとともに、吊り紐係止部近傍の底下溶着縁面５に上げ底シート６下方の空所に通ずる紐通し孔１５を形成し、前記吊り紐１０の先端（自由端）側をこの紐通し孔１５に通して内側の空所内に収納するようにしたものである。
【０１６】
さらに、図７の実施例は、上げ底袋体１の底下溶着縁面５の横巾方向一端側に吊り紐１０の基端係止部１０ａを吊り下げ可能に係着するとともに、袋体１の側部溶着縁面３の上部に、切り込み１６を介して外部に開通する係止孔１７を形成し、吊り紐１０の先端部１０ｂを前記切り込み１６を通して係止孔１７に係合させるようにしたものである。
このものは、吊り紐１０が袋体１の胴部に沿い、また、先端部１０ｂが、袋体１の上部に係止されることにより、袋体１から吊り紐１０が自然に外れることがない。
【０１７】
図７の実施例では切り込み１６及び係止孔１７を、図の左側の側部溶着縁面３に形成しているが、上部溶着縁面２に設けてもよく、また、図の右側の側部溶着縁面４に設けてもよい。
【０１８】
いずれの実施例も、吊り紐１０で袋体１を吊り下げて使用するときは、吊り紐１０の先端係合部の係着を解き、吊り紐１０の基端係止部１０ａだけで袋体１を支持するようにする。
【０１９】
【効果】
本発明は、流体を収納するプラスチックシート袋体の吊り紐を袋体本体にコンパクトに係着または収納できる構造にしたので、梱包、運搬、陳列の際に吊り紐が邪魔にならず、また、吊り下げて使用するときは簡単な操作で吊り紐として機能する。
【図面の簡単な説明】
【図１】本発明の一実施例によるプラスチックシート袋体の正面図
【図２】図１実施例の要部説明図
【図３】本発明の他の実施例によるプラスチックシート袋体の正面図
【図４】図３実施例の要部説明図
【図５】本発明の他の実施例によるプラスチックシート袋体の正面図
【図６】図５実施例の要部説明図
【図７】本発明の他の実施例によるプラスチックシート袋体の正面図
【図８】従来例の吊り紐付きプラスチックシート袋体の正面図
【符号の説明】
１…袋体
２…上部溶着縁面
３、４…側部溶着縁面
５…底下溶着縁面
６…上げ底シート
７…注出口
８…逆止弁機構
９…切取り線
１０…吊り紐
１０ａ…基端係止部
１０ｂ…先端部
１１…係着孔
１２…無溶着開口部
１３…切り込み
１４…紐通し孔
１５…紐通し孔
１６…切り込み
１７…係止孔
【図１】
0004619573.tif 000002
【図２】
0004619573.tif 000003
【図３】
0004619573.tif 000004
【図４】
0004619573.tif 000005
【図５】
0004619573.tif 000006
【図６】
0004619573.tif 000007
【図７】
0004619573.tif 000008
【図８】
0004619573.tif 000009